(57)【要約】【課題】  切取り操作が片手でできるロールペーパーホルダーを提供することを目的とする。【解決手段】  ホルダーベース２に設けた左右のブラケット３に巻取りロール体を支持し、そのロール体の上部で、かつ前記左右のブラケット間に設けたカバー支軸５にカバー板４を巻取りロール体の周面に当接するように取付けて巻取りロール体の巻き戻りと汚れを防止するようにしたロールペーパーホルダーにおいて、左右ブラケット間に設けた支軸５に対してカバー板４をその軸方向に摺動可能に取付けると共に、前記支軸のいずれか一端にコイルスプリング６を縮設してカバー板を前記支軸の他方の軸端側に押付ける一方、前記支軸の他方の軸端側ブラケットの上端側にカバー板の上方への回動を抑制して、巻取りロール体を所定位置に保持するカバーストッパー１０を設け、さらに前記カバー板の前端縁側に切取られるべきペーパーを絞って狭窄保持してカットできる略Ｖ字形スリット８を形成したことを特徴とする。【選択図】      図１
2006025908.tif 000002
【特許請求の範囲】
【請求項１】
ホルダーベース（2）に設けた左右のブラケット（3、3）に巻取りロール体を支持し、そのロール体の上部で、かつ前記左右のブラケット間に設けたカバー支軸（5）にカバー板（4）を巻取りロール体の周面に当接するように取付けて巻取りロール体の巻き戻りと汚れを防止するようにしたロールペーパーホルダーにおいて、
前記左右のブラケット間に設けた支軸（5）に対しカバー板（4）をその軸方向に摺動可能に取付けると共に、前記支軸のいずれか一端にコイルスプリング（6）を縮設してカバー板を前記支軸の他方の軸端側に押付けると共に、前記支軸の他方の軸端側ブラケットの上端側にカバー板の上方への回動を抑制するためのカバーストッパー（10）を設け、
さらに前記カバー板（4）の前端縁に、切取られるべきペーパーやシートを絞って狭窄保持し、かつカットするための前方に開口させたほぼＶ字形スリット（8）を形成したことを特徴とするロールペーパーホルダー。
【請求項２】
前記Ｖ字形スリット（8）は、前記カバー板（4）の前端縁の中央部又は何れか一方の側縁部に偏って１個形成されていることを特徴とする請求項１に記載のロールペーパーホルダー。
【請求項３】
前記Ｖ字形スリット（8）は、その開口幅が前記巻取りロール体のロール幅の１／５〜３／５であることを特徴とする請求項２に記載のロールペーパーホルダー。
【請求項４】
前記Ｖ字形スリット（8）は、該スリットの相対する両側縁が双曲線状又は二等辺三角形の斜辺となっている請求項２〜３の何れか１項に記載のロールペーパーホルダー。
【請求項５】
前記コイルスプリング（6）は、ねじりコイルばねであり、カバー板の前端縁付近を常時巻取りロール体の周面に当接するように押付ける力を発生するものである請求項２〜４の何れか１項に記載のロールペーパーホルダー。
【請求項６】
前記カバー板は、その基部側の一端に切欠き部を形成して、その切欠き部に前記コイルスプリングを配置したことを特徴とする請求項２〜５の何れかに何れか１項に記載のロールペーパーホルダー。
【請求項７】
前記カバーストッパーは、カバー板の支軸側から該カバー板の前端縁側に向かって膨出する略直角三角形状の駒状部材より形成されていることを特徴とする請求項１〜６の何れか１項に記載のロールペーパーホルダー。
【請求項８】
前記巻取りロール体は、トイレットペーパーやキッチンペーパーなどのロール状衛生用紙類、ロール状のプラスチックフィルム、ロール状のアルミシートのいずれかである請求項１〜７の何れか１項に記載のロールペーパーホルダー。
【発明の詳細な説明】
【技術分野】
【０００１】
本発明は、トイレットペーパーやキッチンペーパーなどのロール状衛生用紙類、ロール状のプラスチックフィルム、ロール状アルミシート（以下、これらを総称して巻取りロール体という）等を、所定位置に保持するためのロールペーパーホルダーに関するものである。特に、トイレットペーパー等の繰出し及び切断を両手を使わずに片手で行うことのできるロールペーパーホルダーに関するものである。
【背景技術】
【０００２】
ロール状に巻かれたペーパーやフィルムなどには、トイレットペーパー、キッチンペーパー、食品包装用ラップフィルム、アルミホイル、オーブンペーパー等、様々な材質、用途のものがある。
とりわけトイレットペーパーは誰でもが日常最も多く使用するが、トイレットペーパーを所定位置に保持するために従来から専用のホルダーが使用されている。トイレットペーパーを除く他の巻取りロール体は、一部を除きほとんどのものが商品を収容した販売容器がそのまま保管容器になっているため専用のホルダーは使用しないことが多い。
そのため使用済みの販売容器は、用済み後はごみとして廃棄してしまうことが多かった。そこで、ごみの減量のため、トイレットペーパー以外のラップフィルムやキッチンペーパーについても専用のホルダーを用いることは検討する価値がある。
【０００３】
従来市販されているトイレットペーパーのホルダーは、トイレの壁面に取付けるベースと、その両側から前方に突き出た一対の側板と、側板の間に設けるトイレットペーパーを回転可能に支える支持軸と、ベースの上端のカバー支軸に取付けたカバー板とから構成されている。カバー板は、通常前記支持軸で支えたトイレットペーパーに覆い被さるように取付けられて、その前縁部が巻取りロール体の周面に当接するように湾曲した板状の部材であり、同カバー板の前端縁でトイレットペーパーを略水平直線状にカットする機能を兼ねている。
【０００４】
ところで従来のトイレットペーパーのホルダーでは、巻取りロール体を回転させてトイレットペーパーを必要長さ前方に繰り出した後、片手でトイレットペーパーをつかみ、もう一方の手をカバー板に添えてトイレットペーパーのロールが回転しないように下方に押し付けながら、ペーパーをつかんでいる手を上方に引き上げ、同カバー板の前端縁部にペーパーを当てカットしていた。
このようにトイレットペーパーを使用するためには、両手を使わないと、トイレットペーパーを切取ることができなかった。
【０００５】
しかしながら、両手が自由に使えない場合とか、各種の疾患や傷害により片手の運動機能に障害がある方（以下ハンディキャップのある人をいう）が、両手を使わなければカバーの先端部でペーパーを切断できない従来のトイレットペーパーのホルダーでは大変不便であった。また、電車や飛行機など乗り物の中のトイレでは、揺れている車内等では身体を支えるために片方の手を使うため、ペーパーの切断に両手を使うことができないなど、健常者であっても両手を自由に使えない場合に大変不便であった。
【０００６】
また、公衆トイレなど大勢の人が使用するトイレでは、衛生上、カバーなどに手を触れずにトイレットペーパーを切断し、使用できるのが望ましい。
【０００７】
さらに、従来のトイレットペーパーのホルダーでは、ペーパー切断後、ペーパー先端部分がカバーの裏側に隠れてしまうと、次に使うときにペーパーの先端を取出すのに手間がかかった。また、ペーパーの先端がぴったりとロール体にくっついてしまった場合には、手先が器用な人でも引き剥がすのが難しいため、小さい子供や、手が不自由な人には大変困難な作業であった。
【０００８】
以上のことから、カバー板に水平方向に三角の切込みを入れたものが知られている（例えば、特許文献1参照）。
またホルダー本体の前部に、ペーパー支持部を設け、その支持部上にペーパー切断用歯部を設けると共に、カバー支持軸にコイルバネをはめ込むようにしたものも知られている（例えば、特許文献２参照）。
さらにカバー板の前端縁部に、鋸歯状の切断縁部と指先の納まる凹欠部を設けたものが知られている（例えば、特許文献３参照）。
さらにまた、上下動可能なペーパーカッターを設けたものが知られている（例えば、特許文献4参照）。
【特許文献１】登録実用新案第３０７９５９６号公報
【特許文献２】実開平５−６５２９５号公報
【特許文献３】特開平１１−２０６６１７号公報
【特許文献４】特開平７−１２４０６８号公報
【発明の開示】
【発明が解決しようとする課題】
【０００９】
上記特許文献１に示すように、カバー板に水平方向に三角の切込みを入れたものでは、ペーパーの繰出し方向とほぼ直交する方向に切込みが設けられているため、ペーパーを繰出しながら切り込みにペーパーを入れるのに困難を伴うものである。このため、ペーパーを切込みに入れるためは、ペーパーロールの回転を止めてからペーパーをホルダーの横に繰出してから、切込みに挿入する必要があり、切込みにペーパーを容易に挿入できなかった。
【００１０】
特にペーパーをカットするときに該ペーパーを切込みに挿入するときと反対の方向に引っ張らなければならないため、ペーパーをホルダーの左右に大きく振るように動かすこととなり、そのためには腕をホルダーの正面で左右に大きく動かす必要があり、特に体の不自由な人には左右に大きく腕を動かす動作は難しかく、またそのスペースを確保する必要もあった。さらに、例えば便座の左右のどちらかの壁にホルダーが設置されている場合には、ホルダーの切込みにペーパーを挿入するときあるいは切断するときに便座から遠くの方に手を伸ばさなければならないため、ペーパーを切断するのが難しかった。
【００１１】
また、特許文献１、３、４で説明したいずれのホルダーも、特にペーパーをカットするときペーパーを広げた状態で略水平状態にカットするものであって、カバー板は持ち上がり易くなっているので、ロール体が転動し易く、カバー板を指でロールに押付けないとペーパーを切断しにくいといった問題もあった。そして特許文献２及び４に記載のものは、カバー板と別部材の支持部やペーパーカッターを組み立て配置するので、構造が複雑で、製作コストもかさむという問題点がある。
さらにまた特許文献２〜４のものでは、切断用歯部やカッターがカバー板の前部に設けられているため、トイレ内で転倒した場合とか上半身をかがめて起きようとした場合等に頭等がカバー板に当たり、切断用歯部やカッターで怪我をするおそれがあるといった問題点があった。
【課題を解決するための手段】
【００１２】
本発明は、上記問題点を解決できるロールペーパーのホルダーを提供するものであり、誤って体の一部が当たっても怪我することがなく、しかも両手を使わずにハンディキャップのある人でも、ペーパーの繰出し及び切断を片手で行うことのできるロールペーパーホルダーを提供することを目的とする。
【００１３】
上記目的を達成するため、本発明の第１は、ホルダーベースに設けた左右のブラケットに巻取りロール体を支持し、そのロール体の上部で、かつ前記左右のブラケット間に設けたカバー支軸にカバー板を巻取りロール体の周面に当接するように取付けて巻取りロール体の巻き戻りと汚れを防止するようにしたロールペーパーホルダーにおいて、
前記左右のブラケット間に設けた支軸に対しカバー板をその軸方向に摺動可能に取付けると共に、前記支軸のいずれか一端にコイルスプリングを縮設してカバー板を前記支軸の他方の軸端側に押付けると共に、前記支軸の他方の軸端側ブラケットの上端側にカバー板の上方への回動を抑制するためのカバーストッパーを設け、
さらに前記カバー板の前端縁に、切取られるべきペーパーやシートを絞って狭窄保持し、かつカットするための前方に開口させたほぼＶ字形スリットを形成したことを特徴とするロールペーパーホルダーである。
【００１４】
第２の発明は、前記Ｖ字形スリットは、前記カバー板の前端縁の中央部又は何れか一方の側縁部に偏って１個形成されていることを特徴とする第１発明に記載のロールペーパーホルダーである。
【００１５】
第３の発明は、前記Ｖ字形スリットは、その開口幅が前記巻取りロール体のロール幅の１／５〜３／５であることを特徴とする第２の発明に記載のロールペーパーホルダーである。
【００１６】
第４の発明は、前記Ｖ字形スリットにおいて、該スリットの相対する両側縁が双曲線状又は二等辺三角形の斜辺となっている第２の発明または第３の発明の何れかに記載のロールペーパーホルダーである。
【００１７】
第５の発明は、前記コイルスプリングは、ねじりコイルばねであり、カバー板の前端縁付近を常時巻取りロール体の周面に当接するように押付ける力を発生するものである第２の発明から第４の発明の何れかに記載のロールペーパーホルダーである。
【００１８】
第６の発明は、前記カバー板の基部側の一端に切欠き部を形成して、その切欠き部に前記コイルスプリングを配置したことを特徴とする第２の発明から第５の発明の何れかに記載のロールペーパーホルダーである。
【００１９】
第７の発明は、前記カバーストッパーは、カバー板の支軸側から該カバー板の前端縁側に向かって膨出する略直角三角形状の駒状部材より形成されていることを特徴とする第２の発明から第６の発明の何れかに記載のロールペーパーホルダーである。
【００２０】
第８の発明は、前記巻取りロール体は、トイレットペーパーやキッチンペーパーなどのロール状衛生用紙類、ロール状のプラスチックフィルム、ロール状のアルミシートのいずれかである第２の発明から第７の発明の何れかに記載のロールペーパーホルダーである。
【００２１】
なお、ホルダーベース、カバー板、ブラケットおよびカバーストッパーの角部をそれぞれ面取りすることにより、ホルダーに体がぶつかったときに怪我をしないようにして、使用時の安全性を高めることが好ましい。
【発明の効果】
【００２２】
上記のように、本発明のロールペーパーホルダーは、前記左右のブラケット間に設けた支軸に対してカバー板をその軸方向に摺動可能に取付けると共に、前記支軸のいずれか一端にコイルスプリングを縮設してカバー板を前記支軸の他方の軸端側に押付ける一方、カバー板の前端部付近を巻取りロール体に当接するように付勢して前記支軸の他方の軸端側ブラケットの上端側にカバー板の上方への回動を抑制するカバーストッパーを設け、さらに前記カバー板の前端縁に、切取られるべきペーパーやシートを絞って狭窄保持し、カットするための前方に開口させたほぼＶ字形スリットを形成したから、ペーパーの繰出し及び切断が片手で容易にできる。
前述のように、一方のブラケットの上端側にカバー板の上方への回動を抑制し、所定位置に保持するカバーストッパーを設けたので、片手でカバー板をロール体に押付けることなく、ペーパーを切断することが可能であり、衛生的である。
また、前記コイルスプリングに抗してカバー板を一方の軸端側に寄せて、前記カバーストッパー部材にカバー板が引っ掛かることなくカバー板を上方に開いた状態で回動することができるため、ロール体の取替えも片手で容易に行うことができる。
さらに、カバー板の前端縁に切取られるべきペーパーを絞って狭窄保持し、かつカットするための前方に開口させたほぼＶ字形スリットを形成したから、ペーパーの絞られた先端部は、必ずカバー先端部のＶ字形スリットの一番狭い谷部に挟み込まれた状態に保持されることとなる。従って、次にペーパーを使用するときにペーパー端部を探すわずらわしさがなく、Ｖ字形スリットからペーパー端部を外してすぐに使用できる。
また、お年寄りや障害を持つ人など、誰もが安心して使用できるように、ホルダー部材は角部を取り除いて面取りしているため、安全性を向上させることができる。
【発明を実施するための最良の形態】
【００２３】
図１は、本発明のロールペーパーホルダーの一実施例を示す斜視図である。図のように本発明のホルダー１は、ネジ等の取付け手段により壁面等に取付けるためのホルダーベース２と、その両側に対向して設けられた一対のブラケット３、３とを有している。
ホルダーベース２に設けた左右一対のブラケット３、３にはロール取付軸９を横設して巻取りロール体Ｐを取付ける。その巻取りロール体Ｐの上部で、かつ、前記左右のブラケット３、３間に設けたカバー支軸５に、カバー板４を取付けて巻取りロール体（ロール状衛生用紙）Ｐの周面に当接するようし、巻取りロール体Ｐの巻き戻りと汚れを防止するように構成している。
図２は同実施例の中央縦断面図、図３は使用状態の斜視図、図４は図３の縦断面図、図５はカバー板４を上に開いた状態を示す斜視図である。
なお図示のホルダーは、ベース２、ブラケット３、カバー板４がアルミ、ステンレスなどの金属やプラスチック材料を主体にして作られている。以下細部の構成を説明する。
【００２４】
カバー板４は全体が板状をなしており、かつ巻取りロール体Ｐの形状に沿うように前端縁部が略円弧をなすように下向きに湾曲している。またこのカバー板４は、前述したように左右のブラケット３、３間に設けたカバー支軸５に対して回動可能に取付けられている。
一方、カバー板４の前端縁部には、前方に開口させたほぼＶ字形スリット８を形成している。このＶ字形スリット８は、図６にも示すように、カバー板４の前端縁部の略中央部に１個設ける。しかし、図７（Ａ）、（Ｂ）に例示するようにカバー板の右側縁寄り或いはカバー板の左側縁寄りに設けて使用者の利き手の方向を考慮することも可能である。
前記Ｖ字形スリット８の開口幅は巻取りロール体のロール幅を考慮してその１／２よりも小さく１／４よりも大きい寸法、具体的には前記巻取りロール体のロール幅の１／５〜３／５の範囲で形成させるのがよい。より具体的に説明すると、図６に示すように、Ｖ字形スリット８の開口幅はカバー板４の横幅Ｌに対して０．５Ｌ程度、深さは０．７Ｌ程度である。通常、カバー板４の横幅Ｌは、巻取りロール体のロール幅よりも若干大きく形成されている。巻取りロール体のロール幅は、トイレットロールの場合、その多くが１１〜１２ｃｍ程度であるから、Ｖ字形スリット８の開口幅は、好ましくはＶ字形スリットの一番広い部分で、１〜３本程度の指先が納まる程度の幅寸法（２〜５cm程度）に形成するのがよい。
また、Ｖ字形スリット８はスリットの相対する両側縁がスリット中央の軸線を挟んで双曲線状に形成して、切取られるべきペーパーを滑らかな円弧状の谷間に絞り込んだ状態で狭窄保持することができるように構成するのが良い。勿論このＶ字形スリット８はスリットの相対する両側縁が二等辺三角形の斜辺をなすように形成することも可能である。この場合も、図示のスリット８は、さわっても怪我をしないように、その角部を面取り加工して安全性を高めることが好ましい。
【００２５】
カバー板４の基部側の一端は、前記カバー支軸５に対してその軸方向に摺動可能に取付けられている。またカバー支軸５のいずれか一端に、カバー板４を前記支軸５の他方の軸端側に押付けるコイルスプリング６を縮設する。すなわち図１〜図５の実施例では、コイルスプリング６は支軸の右端に設置されており、コイルスプリングのばね力でカバー板４を反対側の左側に常に付勢している。
【００２６】
なおコイルスプリング６としては、ねじり弾性を有するコイルスプリング（ねじりコイルばね）を使用して、スプリングの一端をホルダーベース２又はブラケット３等に固定し、他の一端をカバー板４に固定して、カバー板４の前端縁付近を常時巻取りロール体Ｐの周面に当接するように押付ける力を発生することができる（図３参照）。
【００２７】
カバー板に符号７で示した個所は、基部側の一端に設けた略四角形をした切欠き部（空所）であり、この切欠き部内に前記押付けコイルスプリング６が支軸５に巻きつけられた状態で納まり良く配置されている。なお前記切欠き部（空所）に代え、カバー板の一方の側縁部を斜めに形成し、その斜めの個所にコイルスプリング６を配置することも可能であり、そのようにすれば前記切欠き部７を設けなくてもよい。
【００２８】
一方、前記カバー板４の切欠き部７とは反対側（左端）のブラケット３の上端に、カバーストッパー１０を設ける。このカバーストッパー１０は、前記カバー板４がみだりに上方に回転して開くことを抑え、所定位置に保持する働きをするものである。
図1と図３に表されているように、ストッパー１０のカバー板４が当接する面が細長い略直角三角形をした駒部材で構成され、一方のブラケット３に取付部１０ｂで固定されている。反対側は、カバー板４の支軸側からカバー板４の先端側に向かって膨出するようにブラケット３の内側に突出している、なお、このストッパー１０の前記膨出部は、三角形状に傾斜した構造となっている。
【００２９】
次に作用を説明する。
この発明のロールペーパーホルダーは従来のロールペーパーホルダーと同様に、ホルダーベース２に設けた左右一対のブラケット３、３にロール取付軸９を横設して巻取りロール体Ｐを取付ける。ロール取付軸９に回転可能に保持された巻取りロール体Ｐからペーパーを引き出す場合には、図２に示すように、ペーパーを斜め下方向に引く。ロール体Ｐは、取付軸９に支えられながら回転しペーパーは引き出される。
適当な長さのペーパーを繰出してから、ペーパーを斜め上方向に引くと、図３および図４に示すように、切取られるべきペーパーがＶ字形スリット８に絞り込まれて狭窄保持されることとなる。ペーパーはＶ字形スリット８の最奥部に至ると固定されることになる。このときカバー板４はカバーストッパー１０により上に開かないようにカバーストッパーの回転が抑えられ、また巻取りロール体を所定位置に保持する結果、前記のように固定されたペーパーをさらに斜め上方向に引っ張ると、絞られたペーパーはＶ字形スリット８の最奥部の縁で切断される。ペーパーにあらかじめ切断用のミシン目などが設けられたものであれば、ペーパーはさらに容易かつきれいに切断することができる。
また、前述したようにねじり弾性を有するコイルスプリング６により、カバー板の前端縁付近を常時巻取りロール体の周面に当接するように付勢するようにすることが好ましい。
【００３０】
このようにしたとき、切断後のペーパーの切り終わりの端部は、必ずカバー先端部のＶ字形スリットの一番狭い谷部に挟み込まれた状態に露出して保持されることとなる。従って、次にペーパーを使用するときにペーパー端部を探すわずらわしさがなく、Ｖ字形スリットからペーパー端部を外してすぐに使用できる。
また、Ｖ字形スリット８からペーパー端部が外れてしまっていても、スリット８の部分に指を入れられるためペーパーをつかみやすい。
さらに、スリット８に挟まれたペーパーは下向きにペーパー端部を引くことで容易にスリットから外すことができる、次の使用がスムーズに開始できる。
このようにペーパーを引出しながらスリット８にペーパーを挿入して切断する作業と、切り終わりのペーパーの端部が露出部としてＶ字形スリット８の最奥部に残存保持されるから従来のものより切断を簡単かつスムーズに行うことができる。
【００３１】
図５は、カバー板４を上に開いた状態を示す斜視図である。
本発明は、左右のブラケット３、３間に設けた支軸５に対してカバー板4をその軸方向に摺動可能に取付けると共に、前記支軸５の右端に、カバー板４を前記支軸の他方の軸端側(図においては左側)に付勢する押付けコイルスプリング６を配置し、また、前記他方の軸端側で左右いずれか一方のブラケットの上端側にカバー板４が上方に回動することを抑制し、所定位置に保持するカバーストッパー１０を設けているから、カバー板４を右方向にスライドさせ、ストッパー１０を回避しながら、右側へ押し付けながら上方にカバー板４を開くことができる。カバー板４を上に開いたところで、カバー板４に対する押し付ける力を解除すると、カバー板４はスプリング６により左側に押し戻されてストッパー１０に押し付けられることとなり、カバー板４を開いた位置で固定することができる。
【００３２】
なお、カバー板４を右側に押し付けながら上に開く動作は片手で十分に行うことができ、カバーを開いた位置で固定することができるため、カバー板を手で抑える必要もなく、ロール体の交換作業を片手で行うことができる。ロール体の取り替えを終えてカバー板４を戻す際には、カバー板４を前方に押し下げるだけで、ストッパー１０の三角の傾斜面に沿ってカバー板４を滑らかに下方に動かすことができる。
【００３３】
ロール体の支持手段としては、伸縮可能な取付軸９をブラケット内側に係合するもの、あるいは左右のブラケット３に起倒自在にロール取付軸を形成したものなど種々のタイプが使用可能であり、いずれの支持手段を用いてもよい。
【図面の簡単な説明】
【００３４】
【図１】ロールペーパーホルダーの一実施例を示す斜視図である。
【図２】図１の中央縦断面図である。
【図３】使用状態の斜視図である。
【図４】図３の縦断面図である。
【図５】カバー板を開いた状態を示す斜視図である。
【図６】カバー板に形成したＶ字形スリットの説明図である。
【図７】Ｖ字形スリットの切込み位置を示す説明図である。
【符号の説明】
【００３５】
１    ホルダー
２    ホルダーベース
３    ブラケット
４    カバー板
５    カバー支軸
６    コイルスプリング
７    切欠き部
８    Ｖ字形スリット
９    ロール取付軸
１０  カバーストッパー
【図１】
2006025908.tif 000003
【図２】
2006025908.tif 000004
【図３】
2006025908.tif 000005
【図４】
2006025908.tif 000006
【図５】
2006025908.tif 000007
【図６】
2006025908.tif 000008
【図７】
2006025908.tif 000009